(57)【要約】【課題】植物の栽培槽を小型化、軽量化することができ、空き地や狭い土地にも栽培槽を容易に設置することが可能であり、設備費が低廉で、灌水や施肥の管理も容易であり、かつ多収穫、高品質な植物の栽培を可能とする植物栽培装置を提供する。【解決手段】包容材３により培地２を包容してなる栽培槽１を具備し、培地２内に植物６の根系６ａを形成させ、培地２を介して植物６に水及び肥料を与えることにより植物６の栽培を行う植物栽培装置であって、培地２は、粉体状又は粒体状若しくは繊維状の高吸水性ポリマーと、肥料を含んだ培養土と、を含有している。これにより、培地２の圃場容水量が大きくなり、栽培槽１と小型化・軽量化することができる。また、灌水管理が容易となり、設備費が低廉化される。さらに、培地２の保肥力が増加し、多収穫、高品質な植物の栽培が可能となる。【選択図】図１
2004041182.tif 000002
【特許請求の範囲】
【請求項１】
袋状の包容材により形成され、植物を植えるための開口部が形成された栽培槽と、
前記包容材の内面底部に敷かれた保水性を有する保水材と、
粉体状又は粒体状若しくは繊維状の高吸水性ポリマーを含有する培地と、
を備えていることを特徴とする植物栽培装置。
【請求項２】
前記栽培槽は、縦長袋状の包容材により構成され、前記栽培槽の長手方向に１列に並んで前記開口部が複数個形成されていることを特徴とする請求項１記載の植物栽培装置。
【請求項３】
前記包容材は、透根性を有していることを特徴とする請求項１又は２に記載の植物栽培装置。
【請求項４】
水平又はほぼ水平に架設された吊下支持部材を備え、
前記吊下支持部材に対し、二以上の前記栽培槽が、隣接し合うもの同士が互いに接触しあった状態で吊り下げられていること
を特徴とする請求項１乃至３の何れか一に記載の植物栽培装置。
【請求項５】
前記吊下支持部材は、樋状又は多数の開口を有する管状に形成されており、
前記吊下支持部材の樋内又は管内に収容されたドリップ灌水管を備えていること
を特徴とする請求項４に記載の植物栽培装置。
【請求項６】
隣接し合う前記各栽培槽の間に保持されたドリップ灌水管を備えていること
を特徴とする請求項４に記載の植物栽培装置。
【請求項７】
隣接し合う前記各栽培槽の間の空間に保持された温度調節材を備えていること
を特徴とする請求項４乃至６の何れか一に記載の植物栽培装置。
【請求項８】
前記吊下支持部材に吊り下げられ、前記各栽培槽を下面から持ち上げた状態で支持する支持体を備えていることを特徴とする請求項４乃至７の何れか一に記載の植物栽培装置。
【請求項９】
少なくとも前記各栽培槽の下面を被覆して設けられた集水シートと、
前記集水シートの下部に設けられ、集水シートにより集水される水を貯水する縦長の貯水部と、
前記貯留部の底部の所定の箇所に設けられた排水口と、
を備えていることを特徴とする請求項４乃至８の何れか一に記載の植物栽培装置。
【請求項１０】
平面、斜面又は垂直面上に敷設された遮水層、前記遮水層の上面に敷設された透水性を有する透水層、及び、前記透水層の上面に敷設された遮根層を有する灌水基盤と、
前記灌水基盤の上面に、互いに隔離して複数個並べられた前記栽培槽と、
を備えていることを特徴とする請求項１乃至３の何れか一記載の植物栽培装置。
【請求項１１】
透水性を有する袋状の包容材からなる栽培槽の内面底部に保水性を有する保水材を敷き、
前記栽培槽の内部に、粉体状又は粒体状若しくは繊維状の高吸水性ポリマーを含有する培地を詰めて、
前記培地に植物を植栽して栽培することを特徴とする植物栽培方法。
【請求項１２】
前記培地に、ドリップ灌水管により点滴灌水を行うことにより植物を栽培することを特徴とする請求項１１記載の植物栽培方法。
【請求項１３】
前記栽培槽を空中に吊り下げた状態で植物を栽培することを特徴とする請求項１１又は１２記載の植物栽培方法。
【請求項１４】
透根性を有する袋状の包容材からなる前記栽培槽に前記培地を詰めて、前記培地に植物を植栽して栽培すること
を特徴とする請求項１１又は１２記載の植物栽培方法。
【請求項１５】
水平又はほぼ水平に架設された吊下支持部材に、二以上の前記栽培槽を、隣接し合うもの同士が互いに接触しあった状態に吊り下げて、前記各栽培槽において植物の栽培を行うことを特徴とする請求項１３又は１４に記載の植物栽培方法。
【請求項１６】
前記吊下支持部材に吊り下げられられた吊下支持体により、前記各栽培槽を下面から持ち上げて支持した状態で、前記各栽培槽において植物の栽培を行うことを特徴とする請求項１３に記載の植物栽培方法。
【請求項１７】
平面、斜面又は垂直面上に敷設された遮水層、前記遮水層の上面に敷設された透水性を有する透水層、及び、前記透水層の上面に敷設された遮根層を有する灌水基盤の上面に、複数の前記栽培槽を互いに隔離して載置し、前記灌水基盤の透水層に対して灌水を行うことにより、植物の栽培を行うことを特徴とする請求項１１又は１２記載の植物栽培方法。
【発明の詳細な説明】
【０００１】
【発明の属する技術分野】
本発明は、栽培槽内の培地に植物の根系を形成させ、培地を介して植物の生育に必要な栄養分を植物に施肥することにより植物の栽培を行う植物栽培技術に関するものであり、特に、灌水・施肥管理及び設備の設置及び保守管理が容易な植物栽培技術に関するものである。
【０００２】
【従来の技術】
近年、農産物の多収穫化、高品質化、省労力化を図るべく、養液栽培方法が広く行われるようになってきている。養液栽培方法とは、土壤を用いることなく、固型の培地や水中に根系を形成させ、植物の生育に必要な栄養分は、植物ごとに固有の吸肥特性に応じた成分組成、適濃度をもつ培養液によって与え、根には適度の酸素供給を行って作物を栽培する方法である。
【０００３】
従来の養液栽培方法としては、代表的なものとして、灌液型循環式水耕（非特許文献１，ｐ．５１〜８３参照）、ＮＦＴ（非特許文献１，ｐ．８４〜１０３参照）、及び、ロックウール耕、礫耕、砂耕などの固型培地耕（非特許文献１，ｐ．１４〜５０，１０４〜１３１参照）等が知られている。
【０００４】
灌液型循環式水耕とは、ベッド内に一定の水位で培養液を保持し、タンクとベッド間又はベッド間相互で培養液を強制循環させることにより、ベッドに植栽された植物の水耕栽培を行う方法である。この方法によれば、根への酸素補給をいかに効果的に行うかが課題となり、その酸素補給方法についても種々の方法が考案されている。
【０００５】
ＮＦＴとは、緩傾斜をつけたフィルムを利用した水路状のベッドに、上方から培養液を少量ずつ流下させ、流下した培養液をタンクに戻して培養液を循環させる方式である。
【０００６】
固型培地耕とは、培地に礫、砂、籾殻燻炭、バーミキュライト、パーライト、ロックウールなどの無機物、又は樹脂、ヤシ殻、ピートモス、おがくず、籾殻などの天然有機物、若しくはポリウレタン、ポリフェノール、ビニロンなどの有機合成物を使用して、培地に間歇的に培養液の供給を行う方法である。
【０００７】
また、養液栽培と土耕栽培の利点を取り入れた方法として養液土耕栽培方法も知られている。この養液土耕栽培方法は、植物の作付け前の施肥は行わず、植物の作付け後に、土壤の持つ養分供給力、養分保持力、緩衝作用を活かしながら、植物の生育に合わせて養液を点滴灌水により供給していくことを特徴とする。
【０００８】
一方、特許文献１では、ポリプロピレン等の合成樹脂製の袋状のバックに培土を充填し、このバックの表面の適所に切り込みを設け、この切り込みを通じて培土に植物を植栽して栽培するバック式栽培方法が提案されている。
【０００９】
図２５はバック式栽培方法による植物の栽培状況を示した図である。バック１０１内は、透水性を有するポリプロピレン製の不織布を素材としており、平面的に見て縦×横＝３０×６０ｃｍ程度の長方形の袋に形成されている。バック１０１の内容量は約１２〜１５リットルである。このバック１０１に、培土が充填されている。培土は、主に、籾殻、ピートモス、バーミキュライト、椰子殻（パームピート）等を主成分としたものが使用される。また、バック１０１の表面には、縦×横＝５×５ｃｍ程度の十字の切れ込み１０２が設けられている。そして、この切れ込みを通して、植物１０３が植栽されている。このようにバック１０１に植物を植栽することで、植物を比較的容易に持ち運ぶことが可能となる。
【００１０】
植物１０３の栽培を行う場合には、図２５に示したように、支持枠１１０の上面にエキスパンドメタル１１１を敷いた架台１１２の上にバック１０１を並べて配置する。そして、ドリップ灌水管１１３を用いて各バック１０１に点滴灌水を行うことで、植物１０３の栽培を行う。
【００１１】
【特許文献１】
特開平８−３２２３７８号公報
【非特許文献１】
社団法人日本施設園芸協会編，「最新　養液栽培の手引き」，株式会社誠文堂新光社，１９９６年６月１５日，ｐ．１４−１３１
【００１２】
【発明が解決しようとする課題】
上記従来の養液栽培方法又は養液土耕栽培方法は、それぞれ長所、短所があるが、何れにおいても共通して、多収穫を得るために植物の栽培株数を増やすと設備が大きくなり、初期投資や維持管理に多大な費用を要するという欠点がある。従って、小規模農家においては、これらの設備を導入することが困難な場合が多い。
【００１３】
養液栽培においては、植物の生育に必要な水分及び肥料分を充分に保持させるために、植物の根系を形成させるベッドのサイズや重量が大きくなる。そのため、植物の栽培地として広い土地が必要である。従って、耕地面積の狭い小規模農家において、空いている狭い土地でこれらの栽培方法を行うことは困難である。
【００１４】
養液土耕栽培についても、同様に、植物を植える土壤として、従来の植物の平地栽培と同様の広い土地を必要とする。
【００１５】
一般に、植物の水吸収は培地が充分に湿り、空気が乾燥している状態では盛んであるが、培地が乾燥し始めると、植物は気孔を閉じて水の蒸散を制限する。水分ストレスが大きいと、このような気孔の開閉が頻繁に生じて植物の光合成能力を低下させるため植物の生育が制限される。従って、栽培植物の成長を促進するためには、土壤内部を常に充分に湿った状態に保つ必要がある。
【００１６】
従来の養液土耕栽培では、培地として土壤を使用している。そのため、土壤内部の温湿度環境を安定的に保とうとした場合、気温、湿度、日照等の外部条件の変化の影響を緩和するため、一定の圃場容水量を確保できるだけの量の土壤が必要である。土壤量が少なすぎて圃場容水量が少なくなると、外部の気温や湿度、日照量、気流、植物の水分消費量等の外部条件によって土壤内の温湿度が容易に変化し、養液の供給量制御による土壤内の温湿度の安定化が困難となるからである。
【００１７】
一般の土壤は、大半は土壤粒子間の孔隙に毛管水として水分を保持しているが、単位体積あたりの保水力があまり大きくない。従って、土壤内部の温湿度環境を安定的に保つためには、必然的に比較的多くの量の土壤が必要である。従って、従来の養液土耕栽培においては、培地の軽量化を図ることが困難である。
【００１８】
また、培地に土壤を用いた植物栽培の場合、土壌内の水分環境を安定させるためには、気温条件、日照条件、湿度条件、植物の水分消費条件等の様々な条件に合わせた養液の供給制御が必要となる。そのため、培地の量が少なくなるほど養液供給量の制御が難しい。そして、培地量を比較的多くしたとしても、ある程度は培地が加湿気味となったり乾燥気味となったりして植物の根に供給される水の量に変動が生じる。従って、植物に対して水分ストレスをある程度以上は小さくすることが難しい。
【００１９】
また、固型培地耕や養液土耕栽培においては、植物への養液の供給は、点滴灌水チューブを用いて点滴灌水を行う方法が広く用いられている。しかし、この場合、養液中の肥料分が点滴灌水チューブの内部に付着して、管内を閉塞することがある。そのため、配管の維持管理に費用と労力を要する。また、経済的な面を考えると、一般に養液の供給設備の設備費は高額であり、小規模経営の農家には導入しにくいという欠点がある。
【００２０】
更に、植物の栽培では、小面積の育苗圃場において育苗を行った後に、広い面積の栽培圃場に苗を定植して栽培を行うことが多い。この場合、育苗床で育苗した植物の苗を定植する場合に、苗の掘り起こし、搬送、本圃への植え付けという作業が必要であり、多くの労力を必要とする。
【００２１】
一方、特許文献１記載のバック式栽培方法によれば、簡単な設備により実施することが可能である。従って、設備コストが低廉であるため、小規模農家においても設備の導入が可能である。また、バック単位での栽培槽の移動が可能であるため、植栽された植物の成長に応じて、バックごと植物の移動が容易であるという優れた利点を有している。
【００２２】
しかしながら、バック内に充填された限られた量の培土において植物を栽培するため、水分の蒸散による培土内における含水量の変動が大きい。従って、植物の根に供給される水分量の変動が大きい。特に、バック内の培土量を減らすと、上述のように、植物に加わる水分ストレスが大きくなり、植物の生育に悪影響が現れる。
【００２３】
逆に、品質の高い植物を生産しようとする場合には、バックの容量を大きくし、充分な培土をバック内に充填するとともに、きめ細かい灌水管理を行えばよい。しかしながら、バック内の培土量を多くすると、バックが重くなり持ち運び作業が不便となる。バックは可撓性の繊維により構成されているために、内部に培土が充填されていると折れ曲がりやすい。従って、特に、植物が植栽された状態でバックを運ぶ場合、植物に損傷を加えないようにするため、バックが折れ曲がらないように注意して搬送する必要がある。
【００２４】
また、バック単位に植栽可能な植物の量が少ないため、単位面積あたりに植栽可能な植物の数が制限される。従って、圃場面積に対する植物の生産効率が落ちる。
また、きめ細かい灌水管理を人手によって行おうとすると、多くの管理労力を要する。逆に、自動的に灌水管理を行う場合には、設備費が高額となる。
【００２５】
そこで、本発明の目的は、栽培設備の小型化・軽量化・低廉化を可能とし、栽培植物の移動を容易に行うことができ、単位圃場面積あたりに栽培可能な植物の株数が多く、灌水や施肥の管理も容易であり、かつ多収穫、高品質な植物の栽培を可能とする植物栽培技術を提供することにある。
【００２６】
【課題を解決するための手段】
本発明の植物栽培装置の第１の構成は、袋状の包容材により形成され、植物を植えるための開口部が形成された栽培槽と、前記包容材の内面底部に敷かれた保水性を有する保水材と、粉体状又は粒体状若しくは繊維状の高吸水性ポリマーを含有する培地と、を備えていることを特徴とする。
【００２７】
植物は包容材に形成された開口部を通して培地に植栽される。そして、培地に灌水することで、植物の栽培が行われる。培地は高吸水性ポリマーを含有しているため、保水容量及び保肥力が大きい。更に、包容材の内面底部に敷かれた保水材にも保水させることができる。そのため、植物の栽培に必要とされる培地は少量でよく、栽培槽を小型化・軽量化することが可能となる。従って、栽培槽の設置場所を選ばず、狭い場所でも栽培槽の設置が可能となる。また、養液栽培のような大規模な設備は必要としないため、植物栽培装置を低廉な価格で容易に導入することが可能である。
【００２８】
また、栽培槽を小型化・軽量化できるため、栽培槽の運搬が容易である。従って、栽培する植物の成長や時期に応じて、栽培槽を適所に運搬することが容易となる。栽培槽を小型化することによって、育苗圃場では複数の栽培槽の間隔を詰めて育苗を行い、本圃では栽培槽の間隔を広げて植物の栽培を行うことができる。そのため、栽培植物の植え替えを行うことなく、育苗から収穫まで一貫して同じ栽培槽で行うことができる。従って、植物の植え替えが不要であり、植物栽培に要する労力が大幅に軽減される。
【００２９】
また、本圃での植物の収穫が終わると、他の栽培槽で栽培された植物を、育苗圃場から本圃に運んで次々と生産することが可能である。従って、本圃の植物生産効率が向上する。また、栽培槽を小型化することにより、小さい圃場面積でより多くの株数の植物を栽培することができる。従って、単位圃場面積あたりで栽培可能な植物の株数を向上させることができる。
【００３０】
また、栽培槽の保水容量が大きいため、灌水回数を減らすことができる。更に、高吸水性ポリマーは、吸水するとゲル状となり植物の根との接触が良好となる。そのため、植物の根は水を効率的に吸収することが可能で、植物に加わる水分ストレスは小さい。従って、灌水管理が容易となるとともに、栽培植物の多収穫化、高品質化を図ることができる。
【００３１】
更に、栽培槽を小型化・軽量化することで、栽培槽を栽培棚等の高架台に吊り下げて植物の高架栽培を行うことが可能となる。このとき、高架栽培における高架台に加わる重量負担は小さい。従って、高架台に高い強度が要求されることがなく、装置を大型化することが容易である。また、軽量化により高架台に多くの栽培槽を懸吊することが可能となるため、狭い栽培面積で植物の生産量を向上させることができる。また、高架栽培とすることにより、土壌伝染病、土壌害虫、雑草の被害がなくなる。従って、これらに対する農薬散布が不要となると共に、生産される植物の品質が向上する。
【００３２】
ここで、「植物」の種類は、特に特定するものではなく、例えば、レタス、イチゴ等の野菜類、コスモス、パンジー、ラン等の花卉類などの栽培に適用される。「粉体」とは、付着力などの粒子間相互作用が１個の粒子の重力に比べて大きい粒子の集合体をいい、「粒体」とは、粉体よりも粒子径の大きい粒子の集合体をいう。
【００３３】
「高吸水性ポリマー」とは、主として分子鎖中に多くのカルボキシル基のようなアニオン基を持つ高分子架橋物であって、イオン基の水和により多量の水を吸収・膨潤しヒドロゲルを形成する高分子化合物をいう。一般に、高分子電解質等の水溶性ポリマーをグラフト重合による３次元化、橋かけ剤による橋かけ重合、水溶性高分子の３次元化、自己橋かけによる網状化、放射線照射による網状化、結晶構造の導入等により不溶化して生成される。「高吸水性ポリマー」としては、デンプン系の高吸水性ポリマー、合成ポリマー系の高吸水性ポリマー、セルロース系の高吸水性ポリマーがあるが、何れを使用することも可能である。具体的には、例えば、メビオール株式会社製の「スカイジェル」（商品名）、昭和電工株式会社製の「ノニオレックスＮＡ−０１０」（商品名）、株式会社興人製の「サーモゲル」（商品名）等を使用することができる。
【００３４】
「培地」は、高吸水性ポリマーを含有するものであればよく、含有比率については特に特定するものではない。しかしながら、培地の空気孔隙比を適度な量に確保するためには、乾燥培地１リットルに対して約０．５〜１ｇの高吸水性ポリマーを混合することが好ましいことが実験的に確かめられている。
【００３５】
「包容材」とは、培地が分散しないように包容する容器材をいい、材料は特に限定するものではなく、例えば、硬質樹脂、ポリエステル繊維やビニル繊維等の繊維材を用いた織布又は不織布やゴムシート等が使用される。粉体状又は粒径状の高吸水性ポリマー粒子の粒径については、特に限定するものではないが、経験上、平均粒径が０．０１〜２．０ｍｍφ、より好ましくは０．５〜２．０ｍｍφ程度とすることが望ましい。平均粒径が０．５ｍｍφよりも小さくなると、高吸水性ポリマーを他の資材と混合するときにうまく混ざりにくい傾向があり、また、平均粒径が２．０ｍｍφよりも大きい場合も、高吸水性ポリマーを他の資材と混合するときにうまく混ざりにくい傾向があるからである。「保水材」としては、親水性ポリエステルの不織布などが使用される。
【００３６】
尚、包容材の外側に藻が発生し、生産物である植物がこの藻に接触することによって汚れた状態となることを防止するために、包容材の外面を酸化チタン膜によりコーティング処理してもよい。これにより、光が酸化チタンの表面にＯ２−とＯＨという、２種の活性酸素を発生させ、これにより分解力が発揮され、藻などの有機物が分解されるため、藻の発生が抑えられる。
【００３７】
また、本発明においては、前記培地には、ピートモス、バーミキュライト、パーライト、シリカ、ボラ土、有機合成物のうちの少なくとも一つを含有させることができる。
【００３８】
これによれば、ピートモス、バーミキュライト、パーライト、シリカ、ボラ土、有機合成物（以下、「ピートモス等」という）が培地内部に多くの孔隙を作る。そのため、培地内部に植物の根に必要な適度な空気が保持される。すなわち、ピートモス等が高吸水性ポリマー粒子の粒子間隔を押し広げる役割をし、吸水して膨潤・ヒドロゲル化する高吸水性ポリマー粒子の粒子間に多くの空気孔隙を確保する。すなわち、培地の空気孔隙率（培地の全体積に対する培地中の空気の体積の比）を大きくする作用を有する。このように空気孔隙率が適当に確保されることにより、培地内に適度な空気が保持され、植物が根腐れを起こすことが防止される。
【００３９】
また、ピートモスやバーミキュライトは、陽イオン交換容量（ＣＥＣ）が大きいため保肥力が高い。そのため、灌水により培養土から肥料が溶け出した培地養液中の肥料成分（例えば、ＮＨ４＋等）を多く吸着して培地中にとどめる。そして、培地内の水に溶け込んだ肥料成分の濃度が低下すると、吸着している肥料成分を放出し、培地内には常に肥料成分が安定して供給される。従って、植物に対する肥料濃度ストレスが緩和され、植物の生育がより促進される。
【００４０】
また、包容材として、可撓性を有するシート状の部材を用いることができる。「可撓性を有するシート状の部材」とは、例えば、繊維材、ポリエステルシート、ビニルシート、ゴムシート等である。包容材を可撓性シート材で構成すると、軽量で、かつ、栽培地の状況に合わせて栽培槽を自由に曲げて設置することが可能となる。また、包容材内部の高吸水性ポリマーは、水分を吸収することによって著しく体積が膨張するが、包容材が可撓性を有するために自由に変形し、高吸水性ポリマーの体積膨張を吸収することができる。そのため、培地が包容材の開口部分から溢れ出すことが防止される。
【００４１】
また、包容材に通気性をもたせることもできる。これにより、包容材を通して培地内に空気が供給され、培地内の空気が欠乏することが防止される。
【００４２】
また、包容材に透水性をもたせることもできる。これにより、過剰な灌水は排水され、根腐れを起こしにくくなる。
【００４３】
本発明の植物栽培装置の第２の構成は、前記第１の構成において、前記栽培槽は、縦長袋状の包容材により構成され、前記栽培槽の長手方向に１列に並んで前記開口部が複数個形成されていることを特徴とする。
【００４４】
この構成により、栽培槽が縦長袋状であるため、その一端又は両端を持って搬送することができる。従って、運搬が容易であり、栽培槽の運搬時の作業性が向上する。
【００４５】
また、栽培槽が縦長袋状であるため、栽培槽を水平に架設した棒状体に吊すことも容易である。従って、栽培槽を空中に吊した状態で植物を栽培することが容易となる。
【００４６】
更に、植物を植栽するための開口部は、栽培槽の長手方向に１列に並んで複数個形成されているので、栽培槽を壁面（例えば、斜面や塀等）に吊して栽培する場合でも、植物同士が接触することがない。従って、斜面栽培や壁面栽培に使用することも可能である。
【００４７】
本発明の植物栽培装置の第３の構成は、前記第１又は２の構成において、前記包容材は、透根性を有していることを特徴とする。
【００４８】
このように包容材に透根性をもたせた場合、栽培する植物の根が成長すると、根端は包容材を突き抜けて空中に突出する。空中に突出した根端は、乾燥した環境におかれるため、成長を停止する。そして、成長を停止した根端の基部付近から多数の二次根が補償的に形成される。これにより、植物の根は親根や二次根に多数の分岐を有する形状に成長し、根巻き（ルーピング）を生じることがない。そのため、植物の根張りがよくなり、植物の成長が促進される。また、親根先端部や二次根先端からは多数の毛根が発生する。そのため、植物の養水分の吸収がよく、植物が活性化され成長が促進される。
【００４９】
ここで、「透根性」とは、植物の細根がスムーズに通り抜けることができる性質をいい、細根が通り抜けることのできる細孔が多数形成されていることを意味する。具体的には、一般的に、細根の太さは直径０．５〜１．０ｍｍ程度なので、包容材が透根性を有するためには、例えば、直径約０．３〜２．０ｍｍ程度の穴が多数あいたシート又はネットであれば透根性を有することになる。
【００５０】
本発明の植物栽培装置の第４の構成は、前記第１乃至３の何れか一の構成において、水平又はほぼ水平に架設された吊下支持部材を備え、前記吊下支持部材に対し、二以上の前記栽培槽が、隣接し合うもの同士が互いに接触しあった状態で吊り下げられていることを特徴とする。
【００５１】
通常、栽培槽を吊下支持部材に単独で吊り下げて、栽培槽内で植物を栽培した場合、植物の成長に従って、植物の茎、葉等の地上部分の重量が大きくなる。そのため、栽培槽内部の培地の重量に対する植物の地上部分の重量の比率が大きくなると、吊下支持部材に対する植物の地上部分の重量の偏りによって、栽培槽が傾く。
【００５２】
しかし、二以上の前記栽培槽を隣接し合うもの同士が互いに接触しあった状態で吊り下げることで、各栽培槽が安定し、栽培植物の地上部分の重量が大きくなっても栽培槽が傾くことが防止される。
【００５３】
また、包容材が透根性を有している場合には、接触し合った栽培槽の間で、植物の根が隣の栽培槽内まで伸長する。従って、各栽培槽の植物の根系の体積が広がる。これにより、各植物の養水分の吸収が更に良好となる。また、各植物は培地の含水量の変化の影響もより受けにくくなる。
【００５４】
本発明の植物栽培装置の第５の構成は、前記第４の構成において、前記吊下支持部材は、樋状又は多数の開口を有する管状に形成されており、前記吊下支持部材の樋内又は管内に収容されたドリップ灌水管を備えていることを特徴とする。
【００５５】
この構成により、培地にはドリップ灌水管によって点滴灌水がされる。そのため、培地に過剰な灌水がされ続けることがないので、培地内部に適度な空隙が維持され、培地中の気相が確保される。従って、常に培地の気相と液相の割合を適度な比率に保つことが可能となり、常に植物の生育に最適な条件を確保することができる。
【００５６】
ドリップ灌水管は吊下支持部材の管内又は樋内に収容されているので、栽培槽を吊下支持部材に脱着する際に、邪魔にならない。従って、栽培槽の脱着作業が容易となる。また、ドリップ灌水管は吊下支持部材で保護されると同時に支持される。そのため、この脱着作業中に、誤ってドリップ灌水管を損傷することを防止できる。
【００５７】
また、ドリップ灌水管から漏出する灌水は、吊下支持部材の下方に滴下される。このとき、各栽培槽は、隣接し合うもの同士が互いに接触しあった状態にあるため、ドリップ灌水管から漏出する灌水は、何れかの栽培槽に滴下されて吸収されると、毛管現象により他の栽培槽にも染み渡って総ての栽培槽に灌水が行われる。
【００５８】
また、各栽培槽は、苗の植え付けや培土の交換等の作業のために、比較的頻繁に吊下支持部材に脱着する必要がある。一方、上記構成によれば、ドリップ灌水管を各栽培槽の中に通す必要がなく、予めドリップ灌水管を吊下支持部材の中に通しておけば、吊下支持部材に栽培槽を吊り下げるだけで設置が完了する。故に、吊下支持部材に対して栽培槽の脱着を容易に行うことが可能となり、作業性が向上する。
【００５９】
ここで、「ドリップ灌水管」としては、オンラインタイプ（灌水管に開口を設け、灌水管から直接灌水を行うもの）のドリップチューブ（点滴灌水チューブ）やインラインタイプ（灌水管に枝管を設け、灌水管から離れた場所で灌水を行うもの）のドリッパを使用することができる。例えば、オンラインタイプのものとしては、ネタフィム社製の「ラム１７」（商品名）、「スーパータイフーン１００」（商品名）、「ストリームライン８０」（商品名）、「流滴」（商品名）、「ドリップライン２０００」（商品名）、「ユニラム１７」（商品名）、ブラストロ社製の「エデンＡ」（商品名）、「カティーフ」（商品名）、「ダガンＢ」（商品名）、「ハイドロドリップ」（商品名）、チャピン社製の「ダブルウォールドリップ」（商品名）、「チャピン」（商品名）、レゴ社製の「レゴ」（商品名）などを使用することができる。また、インラインタイプのものとしては、ネタフィム社製の「ポットドリッパ」（商品名）、「ボタンドリッパ」（商品名）を使用することができる。
【００６０】
また、培地にはあらかじめ肥料を含ませておき、点滴灌水によって水のみを供給することができる。肥料を含む養液の点滴を行うのではなく、灌水のみを行うことで、ドリップ灌水管が肥料成分（例えば、鉄成分等）の沈着により閉塞するといったことはなく、ドリップ灌水管の保守管理も極めて容易となる。
【００６１】
本発明の植物栽培装置の第６の構成は、前記第４の構成において、隣接し合う前記各栽培槽の間に保持されたドリップ灌水管を備えていることを特徴とする。
【００６２】
この構成により、ドリップ灌水管を設置する場合には、栽培槽を吊下支持部材に吊り下げた後に、ドリップ灌水管を栽培槽に挟み込むだけでよい。従って、ドリップ灌水管の設置が容易であり、設置作業の作業性が向上する。
【００６３】
本発明の植物栽培装置の第７の構成は、前記第４乃至６の何れか一の構成において、隣接し合う前記各栽培槽の間の空間に保持された温度調節材を備えていることを特徴とする。
【００６４】
この構成により、冬季において気温が下がった場合においても、温度調節材を加熱することにより培地及び植物周辺の大気の温度調節をすることができる。また、夏期においても、極度に気温が上昇した場合でも、温度調節材を冷却することで、培地及び植物周辺の大気の温度調節をすることができる。これにより、植物に対する温度ストレスを緩和させることが可能となる。
【００６５】
また、温度調節材を設置する場合には、栽培槽を吊下支持部材に吊り下げた後に、温度調節材を栽培槽に挟み込むだけでよい。従って、温度調節材の設置が容易であり、設置作業の作業性が向上する。
【００６６】
ここで、温度調節材としては、温湯管や通水管のような温度調節管のほか、ヒートパイプ（真空状態にしたパイプの中に、適量の作動液（水、ナトリウム等）とその還流を促進するグルーブを装備した熱伝導素子）、熱伝導性テープ等を使用することができる。
【００６７】
本発明の植物栽培装置の第８の構成は、前記第４乃至７の何れか一の構成において、前記吊下支持部材に吊り下げられ、前記各栽培槽を下面から持ち上げた状態で支持する支持体を備えていることを特徴とする。
【００６８】
吊下支持部材のない場合、少量の培地を用いて栽培槽で植物を栽培した場合、灌水が栽培槽の下部に溜まって、その重みで栽培槽が縦長に変形する場合がある。縦長に変形した栽培槽では、植物の苗が植え付けられた培地の表面は、水平ではなく、傾斜した状態となる。一方、植物は、その習性上、鉛直上方に向かって成長する。従って、栽培槽において育成された植物は、根元付近の茎が曲がったものとなる。ネギや白菜、レタス等の野菜は、このように根元の曲がった形状のものは、市場価格が低い。
【００６９】
しかしながら、支持体によって各栽培槽を下面から持ち上げた状態で支持することにより、栽培槽内の培地の表面を平坦に維持することができる。そのため、培地に植え付けられた植物は、平地に植えられた状態と同様の状態で生育する。従って、栽培される植物がいびつな形状となることが防止され、栽培植物の商品価値が低下することを防止することができる。
【００７０】
ここで、支持体としては、可撓性、通気性、透水性、透根性を有する部材を使用するのが好ましい。支持体が可撓性を有することで、栽培槽の形状や大きさに適合して支持体が変形する。支持体が通気性を有することで、支持体と包容材を通して、培地に空気が供給され、培地内の空気の欠乏が防止される。支持体が透水性を有することで、仮に培地に過剰な灌水が供給された場合でも、圃場容水量を超える水は重力水として、包容材と支持体を通って下部に排水される。従って、培地が水分過剰な状態となることが防止され、植物の根腐れが発生したり、植物に大きな水分ストレスが加わることが防止される。更に、支持体が透根性を有することで、包容材を通して張り出した植物の根の根端は、支持体を突き抜けて空気中に曝され、成長が停止する。そのため、根巻きが防止され、二次根形成及び毛根形成が促進され、植物の生育が良好となる。
【００７１】
このような支持体の材料としては、例えば、金網、プラスチック製の網等を使用することができる。
【００７２】
本発明の植物栽培装置の第９の構成は、前記第４乃至８の何れか一の構成において、少なくとも前記各栽培槽の下面を被覆して設けられた集水シートと、前記集水シートの下部に設けられ、集水シートにより集水される水を貯水する縦長の貯水部と、前記貯留部の底部の所定の箇所に設けられた排水口と、を備えていることを特徴とする。
【００７３】
この構成によれば、仮に培地に過剰な灌水が供給された場合、圃場容水量を超える水は重力水として、包容材を通って外部に排水されるが、一旦集水シートの下部の貯留部に貯留される。貯留部は縦長であるため、少量の水が流入した場合でも、貯留部内の水位が高くなる。従って、集水シートに弛みがある場合にも、過剰な灌水を効率よく集水し、排水することが可能となる。
【００７４】
本発明の植物栽培装置の第１０の構成は、前記第１乃至３の何れか一の構成において、平面、斜面又は垂直面上に敷設された遮水層、前記遮水層の上面に敷設された透水性を有する透水層、及び、前記透水層の上面に敷設された遮根層を有する灌水基盤と、前記灌水基盤の上面に、互いに隔離して複数個並べられた前記栽培槽と、を備えていることを特徴とする。
【００７５】
この構成により、斜面上部に灌水された場合、水は透水層を通って下方に移動する。このとき、透水層は抵抗が大きく、毛管現象も生じるため、灌水された水は灌水基盤の全体に広がる。従って、灌水基盤上に配置された各栽培槽に、水は満遍なく行き渡る。各栽培槽に到達した水は、毛管現象によって栽培槽の底部の保水材に吸い上げられ、各栽培槽内に保水される。また、各栽培槽は各々が隔離して配置されているので、各栽培槽間において直接水が移動することはない。従って、傾斜下部の栽培槽も傾斜上部の栽培槽も均等に灌水される。そのため、栽培槽ごとに植物の成長に差が生じることが防止される。
【００７６】
また、各栽培槽には、保水材の毛管現象による吸い上げによって灌水が行われることから、各栽培槽が過剰灌水となることはなく常に適量の水が供給される。従って、植物の根に加わる水分ストレスが小さく、生育が良くなるため、品質の良い植物を生産することができる。
【００７７】
本発明の植物栽培方法の第１の構成は、透水性を有する袋状の包容材からなる栽培槽の内面底部に保水性を有する保水材を敷き、前記栽培槽の内部に、粉体状又は粒体状若しくは繊維状の高吸水性ポリマーを含有する培地を詰めて、前記培地に植物を植栽して栽培することを特徴とする。
【００７８】
この構成により、培地中に含まれる高吸水性ポリマーと保水材とによって、栽培槽の保水容量は非常に大きくなる。従って、灌水回数を減らすことができるため、植物の栽培が容易となる。また、培地の保水容量が大きいため、植物の栽培に必要な培地の量は少なくてもよい。そのため、栽培槽を小型化・軽量化することができ、栽培槽の搬送が容易となる。従って、栽培槽を適所に持ち運んで植物の栽培を行うことが可能となる。
【００７９】
本発明の植物栽培方法の第２の構成は、前記第１の構成において、前記培地に、ドリップ灌水管により点滴灌水を行うことにより植物を栽培することを特徴とする。
【００８０】
この構成によって、植物への過剰な灌水を避けることができる。そのため、栽培時の水の節約をすることができる。また、過剰な灌水を行うと、余分な水は栽培槽の外に排水されるが、排水と共に培地中の肥料も流亡する。しかし、点滴灌水を行うことにより、無駄な排水を少なくすることができるため、肥料の流亡を防止することができる。
【００８１】
本発明の植物栽培方法の第３の構成は、前記第１又は２の構成において、前記栽培槽を空中に吊り下げた状態で植物を栽培することを特徴とする。
【００８２】
これにより、土壌病害虫の被害を防止することができる。また、雑草の種子や根が侵入しにくいため、雑草が繁殖する心配もなくなる。従って、土壌妨害虫の駆除や雑草の防除のための農薬を使用する必要がなくなる。
【００８３】
本発明の植物栽培方法の第４の構成は、前記第１又は２の構成において、透根性を有する袋状の包容材からなる前記栽培槽に前記培地を詰めて、前記培地に植物を植栽して栽培することを特徴とする。
【００８４】
この構成により、栽培槽内において、植物の根が根巻きを起こすことを防止することができる。また、植物の根系において、二次根、毛根の発達が促進され、根系の養水分の吸収効率が向上する。その結果、植物の生育が促進され、品質の良い植物を生産することができる。
【００８５】
本発明の植物栽培方法の第５の構成は、前記第３又は４の構成において、水平又はほぼ水平に架設された吊下支持部材に、二以上の前記栽培槽を、隣接し合うもの同士が互いに接触しあった状態に吊り下げて、前記各栽培槽において植物の栽培を行うことを特徴とする。
【００８６】
この構成により、吊り下げられた栽培槽が安定するため、植物の生育に伴って栽培槽の重心が多少傾いた場合であっても、栽培槽が傾くことが防止される。
【００８７】
本発明の植物栽培方法の第６の構成は、前記第３の構成において、前記吊下支持部材に吊り下げられられた吊下支持体により、前記各栽培槽を下面から持ち上げて支持した状態で、前記各栽培槽において植物の栽培を行うことを特徴とする。
【００８８】
この構成により、栽培槽内部の培地の表面が水平に保たれるので、栽培植物の根元付近の茎や葉が曲がって成長することが防止され、植物の商品価値の低下を防ぐことができる。
【００８９】
本発明の植物栽培方法の第７の構成は、前記第１又は２の構成において、平面、斜面又は垂直面上に敷設された遮水層、前記遮水層の上面に敷設された透水性を有する透水層、及び、前記透水層の上面に敷設された遮根層を有する灌水基盤の上面に、複数の前記栽培槽を互いに隔離して載置し、前記灌水基盤の透水層に対して灌水を行うことにより、植物の栽培を行うことを特徴とする。
【００９０】
この構成により、灌水基盤の透水層に対して灌水を行うことで、各栽培槽に対して均等に灌水を行うことができる。従って、灌水管理が容易となる。
【００９１】
【発明の実施の形態】
以下、本発明の一実施の形態について図面を参照しながら説明する。
【００９２】
（実施の形態１）
図１は本発明の実施の形態１に係る植物栽培装置の断面図であり、図２は本発明の実施の形態１に係る植物栽培装置の側面図である。
【００９３】
図１において、植物栽培装置の栽培槽１は、培地２と、培地２を包容する袋状の包容材３とを備えている。培地２は、平均粒径０．０１〜０．５ｍｍφの粒体状の高吸水性ポリマーと、肥料を含んだ培養土とを含有する。高吸水性ポリマーは、メビオール株式会社製の「スカイジェル」（商品名）が使用され、培養土としては、ピートモス及びパーライトが使用されている。なお、培養土はこれに限られたものではなく、バーミキュライト、シリカ、ボラ土、有機合成物を使用することも可能である。また、肥料としては、肥効調節型肥料が添加されている。高吸水性ポリマーの混合比率は、乾燥ピートモスの容積１リットルに対して高吸水性ポリマー０．５〜１．０ｇの割合とされている。包容材３は縦長の袋状に形成されている。また、包容材３は、通気性・透水性を有するポリプロピレンの織布により構成されており、具体的には日本石油化学株式会社製の「植物の栽培用シート」（商品名）が使用されている。この包容材３は、可撓性を有し、培地２の膨潤による体積変化を吸収するとともに、自由に折り曲げることが可能である。この織布には、全体に直径０．５〜１．０ｍｍ程度の網目が形成されており、細根がスムーズに通過できるため、透根性を有する。
【００９４】
包容材３の内側底部には厚さ約５〜１０ｍｍの親水性ポリエステルの不織布シートからなる保水材４が布かれており、この保水材４は吸水性を有している。包容材３の側部には長手方向に並んで複数の開口部５が設けられており、開口部５を通して包容材３の外に茎及び葉を出すように植物６が培地２に植えられている。植物６の根系６ａは、培地２内に形成されている。なお、開口部５は、包容材３の左右側面に交互に複数個設けられている。このように、左右交互に開口部５を設けたのは、隣接する植物６，６の葉同士が接触しない間隔で、かつ、なるべく高密度で植物の植え付けを行うことを可能とするためである。また、左右均等に植物６，６を植え付けることにより、栽培槽１の左右の重量バランスがほぼ均等となり、栽培槽１が左右何れか一方に傾斜することが防止される。
【００９５】
包容材３の上部には、８番線の針金からなる支持体７が通されている。この支持体７はフック状の吊下部８により、地面に対して水平となるように空中に固定された吊下棒９に脱着自在な状態で吊り下げて止められている。これにより、栽培槽１は吊下棒９に吊り下げられた状態とされている。
【００９６】
包容材３の内部の培地２の上面には、培地２に対して点滴灌水を行うドリップ灌水管１０が配設されている。このドリップ灌水管１０を通して、培地２には水が点滴灌水される。なお、ドリップ灌水管１０には住化農業資材株式会社製の「ストリームライン６０」（商品名）が使用されている。
【００９７】
以上のように構成された本発明の実施の形態１に係る植物栽培装置について、以下その植物栽培方法について説明する。
【００９８】
まず、栽培槽１の吊下部８を吊下棒９から外した状態で、包容材３の内部に培地２を充填する。次に、培地２に植物６を植えて、吊下部８により栽培槽１を吊下棒９に吊り下げた後、栽培槽２にドリップ灌水管１０を通す。ドリップ灌水管１０の吸水側は、吸水ポンプ（図示せず）に接続し、吸水ポンプによって一定の圧力を加えた水をドリップ灌水管１０に供給することにより、灌水を行う。
【００９９】
灌水された水の一部は、培地２に含まれる高吸水性ポリマーに吸収され、高吸水性ポリマーは水を吸収して膨潤する。また、水の一部は、培地２内の孔隙に、毛管水として保水される。これにより、培地２には多量の水が保水される。
【０１００】
培地２に含まれる高吸水性ポリマーは、高分子電解質等の水溶性ポリマーが架橋して網目状の構造となり不溶化したものである。そのため、高分子鎖に付いている親水基が網目状の高分子鎖の間に水分子を捕獲して膨張しゲル状となり、自重の５０〜１００倍以上の水を吸水し保持する。この高吸水性ポリマーに保持された水の大部分は自由水又は半結合水の状態にあり、大部分が植物６が利用可能なｐＦ値１．６〜４．２の水である。
【０１０１】
また、高吸水性ポリマーは粒体状であるため、吸水してヒドロゲル化した場合にも、各高吸水性ポリマーの粒子間に一定の空気孔隙が確保される。そのため、培地２内の空気が完全に欠乏することが防止される。従って、高吸水性ポリマーを培地２に含有させることで、植物６の生育に必要な水、空気及び肥料を空間中に固定させることができる。また、栽培する植物６自体は培地２及び包容材３により空間中に固定される。
【０１０２】
一方、灌水された水の一部は、培地２内を浸透し、その下部にある保水材４に吸収されて保水される。このように、保水材４が、灌水の一部を保水することで、培地２の水分が不足した場合には、毛管現象によって保水材４から培地２に水が供給されるため、培地２の保水量の変動が緩和される。また、これにより長期間にわたって培地２が適度な保水状態に維持される。すなわち、栽培槽１全体としての保水量が大きくなる。これにより、灌水効率が向上し、灌水の供給間隔をより長くすることが可能となる。
【０１０３】
更に、保水材４に保水しきれない水は、透水性を有する包容材３の下部から、重力水として滴下排出される。これにより、培地２内が水分過剰な状態となって空気不足となり、植物６が根腐れが発生したり、植物に大きな水分ストレスが加わることが防止される。
【０１０４】
また、培地２には最初から肥料が含まれているため、灌水は水のみを行い、肥料の養液の灌水は行わない。これにより、肥料成分（鉄成分等）の沈着によりドリップ灌水管が閉塞するといったトラブルが発生することがなく、ドリップ灌水管の維持管理が極めて容易となる。また、養液を灌水に混入して供給する装置も不要であり、装置全体としての構成も簡単となり、低廉な価格で植物栽培装置を提供することができる。
【０１０５】
灌水を行うことによって、培地２内の肥料分は水に溶解するが、溶解した肥料分は、培地２中の高吸水性ポリマーやピートモス等により保持又は吸着され、保肥される。従って、植物６は肥料に不足することはない。すなわち、培養土に肥料が含まれているため、灌水を行うだけで肥料が培地２中に溶け出しバランスのとれた培地養液で満たされる。すなわち、窒素・リン酸・カリなどの成分が、植物が吸収し易い水溶液の形で培地２中に存在し、植物６の養分吸収量が高まる。従って、植物６の生育が促進され、植物６の高生産及び高品質化が図られる。
【０１０６】
ここで、高吸水性ポリマーは、肥料成分であるアンモニア態窒素（ＮＨ４−Ｎ）及び塩基類（ＭｇＯ、Ｋ２Ｏ、ＣａＯ等）を保持する作用を有する。すなわち、保肥作用も有する。植物の生育には、特に窒素・リン酸・カリが重要であるが、このうち培養土中の窒素肥料に含まれる窒素成分は硝化細菌により有機態→ＮＨ４＋→ＮＯ２−→ＮＯ３−のように早期に変化する。このＮＯ３−は水に溶けやすいため、水の移動により流亡しやすい。しかしながら、高吸水性ポリマーが、水とともにＮＯ３−をも培地２中に保持するために、培地２の保肥力は通常の土壤に比べて大きい。
【０１０７】
また、高吸水性ポリマーは高い保水力を有するため、植物の生育に必要とされる培地２の量は少なくてもよい。従って、栽培槽１全体を小型化・軽量化することができる。具体的には、灌水が行われ培地２に圃場容水量の水が供給された状態において、栽培槽１の長さ１ｍあたりの重量を３〜１０ｋｇ程度とすることができる。従って、吊下棒７として特別な枠やスペースをとる必要はなく、例えば、ビニルハウスの梁などに栽培槽１を懸吊して植物の栽培を行うことができる。
【０１０８】
また、高吸水性ポリマーが水を大量に保持するために、培地２の圃場容水量が大きく、気温条件、日照条件、湿度条件、植物６の水分消費条件等の様々な条件の変化に伴う培地２内部の保湿状態の変化が緩和される。そのため、植物６の根系６ａに対して水分ストレスを極めて小さくすることができる。従って、植物６が常に継続して光合成を行うことができ、植物６の生育がより促進される。
【０１０９】
また、培地２に適度に灌水が供給されている限り、包容材３は常に水で湿った状態にある。従って、培地２の温度が上昇した場合、包容材３に浸透した水分が蒸発し蒸発潜熱により培地２が冷却される。すなわち、包容材３自体が温度変化緩衝作用を有する。従って、植物６の根に対する温度変化によるストレスを小さくすることも可能となる。
【０１１０】
一方、上述のように、高吸水性ポリマーに吸収された水は、平均的に通常の自由水に比べてｐＦ値が大きい（すなわち、半結合状態の水が多く含まれる）。従って、通常の自由水と比べると蒸発しにくい。それに加え、培地２の圃場容水量が大きいため、灌水は殆どが培地２に吸収され、重力水として流亡する灌水の量を極力少なくすることができる。従って、灌水を可能な限り植物に与えることができるため、灌水の利用効率がよく、灌水回数を大幅に軽減することができる。
【０１１１】
実験では、通常の土壤で約３回の灌水を行うところを、高吸水性ポリマーを上述の割合で含む培土においては１回の灌水を行えばすむことが実証された。従って、灌水管理が容易化され、管理労力が低減される。
【０１１２】
図３は本実施の形態の植物栽培装置をビニルハウスの梁に懸吊して設置した例を示す図である。従来の養液栽培等では、栽培槽の重量が大きいために、栽培槽を既存のビニルハウスの梁に懸吊することなどは不可能であったが、本実施の形態の植物栽培装置は、栽培槽１が極めて軽量であるため、図３に示すように、既存のビニルハウスの梁に栽培槽１を懸吊して植物を栽培することも可能となる。従って、従来使用されていなかったスペースに栽培槽１を設置することで、スペースの有効活用が可能となり、また、農業経営の増収・増益を図ることができる。
【０１１３】
このように、本実施の形態の植物栽培装置によれば、植物の栽培槽を小型化、軽量化することができ、空き地や狭い土地にも栽培槽を容易に設置することが可能となる。また、設備費が低廉で、灌水や施肥の管理も容易であり、農作業の労力が低減される。さらに、多収穫、高品質な植物の栽培が可能となる。
【０１１４】
最後に、包容材３として使用した透根性を有するシートが、植物の根に及ぼす作用について説明する。
【０１１５】
図４は包容材の付近における植物の根の成長過程を表す図である。
図４（ａ）において、植物の親根１１の根端１２は、成長するに従って伸長し、包容材３の内面に達する。ここで、包容材３は透根性を有する部材により構成されているため、親根１１の根端１２は、包容材３の網目３ａを突き抜けて、包容材３の外部まで伸長する。包容材３の外部に伸長した植物の親根１１の根端１２は、外気により乾燥し、根端１２には乾燥ストレスが加わる。そのため、根端１２は成長を停止する。これにより、植物の親根１１の成長が止まるため、根巻きが生じることがなくなる。
【０１１６】
次に、根端１２の伸長が停止した場合、親根１１の根端１２の近傍に、二次根形成が始まる。尚、二次根形成は、根端１２の伸長が停止していない場合にも生じるが、その位置は、根端１２から一定の距離離れ、親根１１の繊維束要素が内皮が一定の生育段階に達しなければ、二次根始原体は形成されない。すなわち、基本的に植物は株を安定させるために主根や１次根のような親根１１の伸長が優先的に生じるため、二次根形成は遅れる。従って、根端長（根の先端から、最初に出現した二次根の位置までの長さ）は長くなる。しかしながら、乾燥ストレスにより根端１２の伸長が停止した場合、根端１２の近くに二次根１４が補償的に形成される（図４（ｂ）参照）。また、親根１１の伸長が停止した分だけ、二次根形成が促進され、比較的多数の太くて長い二次根１４が形成される。更に、親根１１の根端１２付近や二次根１４には、多数の毛根１３，１３’が顕著に多く形成される。これらの毛根１３，１３’は、培地２内の養水分の吸収機能が高く、植物の養分吸収が良好となる。その結果、植物の成長が良好となる。
【０１１７】
このように、包容材３として透根性を有するシートを使用することにより、二次根形成が促進されるため、限られた量の培地２の中において、養水分の吸収効率のよい根系が形成される。そして、植物の養水分の吸収機能が向上する結果、植物の成長が良好となる作用が生じる。
【０１１８】
（実施の形態２）
図５は本発明の実施の形態２に係る植物栽培装置の断面図である。
図５において、培地２、包容材３、保水材４、開口部５、植物６、根系６ａは実施の形態１と同様であるため、同一の符号を付して説明は省略する。
【０１１９】
本実施の形態における植物栽培装置の栽培槽１’は、地面２０の上に載置された状態で設置されている。この場合、包容材２としては、通気性・透水性を有するポリエステル繊維のような部材としてもよいが、植物６が湿潤な環境を好む花卉類などの場合には、包容材２としてゴムシートを使用してもよい。
【０１２０】
また、本実施の形態においては、ドリップ灌水管の代わりに、点滴灌水が可能なドリッパ２１が使用されている。このドリッパ２１は、培地２に先端が差し込まれ、培地２中に灌水を注入するスタビライザ２１ａと、スタビライザ２１ａに灌水を供給する給水チューブ２１ｂにより構成されている。給水チューブ２１ｂの一端部は、栽培槽１’に平行に配設された給水パイプ２２に接続されている。この給水パイプ２２には、給水ポンプ（図示せず）から、一定の水圧で給水が行われる。ドリッパ２１は、栽培槽１’の各所に、灌水に適当な間隔をおいて複数個設けられている。このように構成することで、ドリップ灌水管を包容材３の中に通す必要がなくなり、栽培槽１’の設置が容易となる。
【０１２１】
また、本実施の形態においては、包容材３の内部の培地２の上面に、培地２の温度を調節する温度調節管２３が敷設されている。この温度調節管２３には、温水又は冷水が、加温媒体又は冷却媒体として流され、培地２及びその周囲の空気の温度を調節する。このように構成することで、寒さや暑さに弱い花卉類のような植物の栽培も容易となる。
【０１２２】
図６は実施の形態２の植物栽培装置を地面に設置した例を示す図である。
尚、図６は、給水パイプ２２及びドリッパ２１を敷設する前の状態である。また、包容材３として、ゴムシートを使用している。このように、休閑中の農地に本実施の形態の栽培装置の栽培槽１’を設置して植物の栽培を行うことで、土地の有効活用ができ、農業経営の増収・増益にもつなげることができる。
【０１２３】
（実施の形態３）
図７は本発明の実施の形態３に係る植物栽培装置の斜視図、図８は本発明の実施の形態３に係る植物栽培装置の栽培槽付近の断面図である。
【０１２４】
図７、図８において、本実施形態に係る植物栽培装置３０は、傾斜した架台３１の上面に、不透水性の遮水シート３２、透水シート３３、透水遮根シート３４からなる灌水基盤３５が形成されている。そして、灌水基盤３５の上面には、複数の栽培槽３６が、傾斜方向に間隔をおいて並べて水平に載置されている。
【０１２５】
灌水基盤３５の傾斜最上部には、灌水基盤３５の全幅にわたり灌水管４２が水平に配設されている。この灌水管４２から水又は養液が灌水基盤３５に供給される。
【０１２６】
遮水シート３２は、通常のビニルシート、ポリエステルシート等を使用することができる。また、透水シート３３は、養水分を浸透させるとともに保水性を有する不織布やスポンジ等のシートが使用される。透水遮根シート３４は、栽培槽３６に栽培される植物の細根を遮根するシートであり、透水性を有するシートが使用される。
【０１２７】
栽培槽３６は、培地３７を包容する横長の袋状に形成された包容材３８と、包容材３８の内底部に敷設された保水材３９を有している。包容材３８は、実施の形態１と同様に、通気性、透水性、及び透根性を有するシート部材である。また、包容材３８の上部には、所定の間隔で開口部４０が形成されており、この開口部４０に植物４１が植栽される。
【０１２８】
培地３７には、実施の形態１で説明したものと同様のものが使用されている。保水材３９には、透水シート３３よりも吸水性の大きい不織布や高吸水性ポリマー繊維が使用される。具体的には、保水材３９としては、例えば、ポリエステル繊維等を使用することができる。
【０１２９】
以上のように構成された本実施形態の植物栽培装置３０において、以下その作用を説明する。
【０１３０】
灌水管４２から供給された水又は養液は、透水シート３３に浸透し、架台３１の傾斜により、重力水として透水シート３３内を斜面下方に移動する。透水シート３３内の重力水が各栽培槽３６の下部に達すると、重力水は栽培槽３６の包容材３８に浸透し、保水材３９及び培地３７に吸収され保水される。
【０１３１】
各栽培槽３６に供給された灌水は、一旦保水材３９及び培地３７に吸収され保水されることから、灌水を中断しても、各栽培槽３６は、比較的長時間に渡って湿潤な状態が保たれる。すなわち、灌水を行う時間間隔を長くすることができ、植物栽培時の灌水管理が容易となる。
【０１３２】
また、重力水は、透水シート３３を伝わって、灌水基盤３５の全体に広がるため、各栽培槽３６は満遍なく灌水される。そして、各栽培槽３６は、所定の間隔だけ離隔して配置されているため、各栽培槽３６間での水の移動はない。そのため、傾斜上部の栽培槽３６から傾斜下部の栽培槽３６に向かって水が移動することはない。従って、傾斜上部の栽培槽３６が灌水不足となり、傾斜下部の栽培槽３６が過剰灌水となることが防止される。
【０１３３】
更に、風が強いときでも栽培槽３６が揺れることがなく、安定性に優れている。
【０１３４】
（実施の形態４）
図９は本発明の実施の形態４に係る植物栽培装置の要部断面図である。本実施形態の植物栽培装置５０は、培地５１を包容する包容材により構成された二つの栽培槽５２，５２を有している。培地５１は、実施の形態１と同様、粒体状の高吸水性ポリマーと培養土とを含有したものが使用されている。また、栽培槽５２，５２を構成する包容材は、実施の形態１と同様に、通気性、透水性、透根性を有するポリプロピレンの織布が使用されている。
【０１３５】
本実施形態における栽培槽５２のサイズは縦が約６０ｃｍで幅が約１０ｃｍ程度の大きさの袋体であり、内容量は約１．５リットルである。この栽培槽５２に吸水材５４を敷いて培地５１を充填し、吸水させると、全体の重量は約１．４ｋｇ程度となり、持ち運びやすい大きさと重さとなる。
【０１３６】
各栽培槽５２の上部には、８番線の針金からなる支持体５２ａが通されている。そして、この支持体は、空中に水平に固定された吊下支持部材５３に、フック状の吊下部５２ｂにより掛架されている。そして、左右の栽培槽５２，５２同士は互いに側面が接触し合った状態で釣り合っている。
【０１３７】
このように、本実施形態においては、左右の栽培槽５２，５２同士が互いに接触しあった状態となるように掛架することで、栽培槽５２，５２が安定し、植栽された植物５８，５８の成長に伴って多少の左右重量のアンバランスが生じた場合でも、栽培槽５２，５２が傾くことが防止される。
【０１３８】
すなわち、例えば、図１のような植物栽培装置では、栽培槽１は、吊下部８によって吊下棒９に１点で支持されているので、左右に回転しやすい。従って、栽培槽１の左右に突き出して植えられた植物の成長速度が異なった場合、例えば、右側の植物の生育がよく、左側の植物の生育が悪かった場合、栽培槽１は左側に傾きやすい。
【０１３９】
しかしながら、本実施形態における植物栽培装置５０の場合には、各栽培槽５２は、吊下部５２ｂにより吊下支持部材５３に支持され、かつ、両栽培槽５２，５２同士が側面で互いに接触し合っている。そのため、両栽培槽５２，５２は、それぞれの重量がアンバランスとなっても回転しにくい。従って、例えば、一方の植物の生育がよく、他方の植物の生育が悪かった場合でも、両栽培槽５２，５２は安定性がよく傾きにくい。
【０１４０】
吊下支持部材５３は、アルミニウム合金によって構成されており、断面が三日月型の樋状体からなる。吊下支持部材５３内部の溝５３ａは、内面の断面形状が円弧状であり、その溝開口部５３ｂが鉛直下方を向くように配設されている。
【０１４１】
また、栽培槽５２，５２の内底面には、実施の形態１と同様に、保水材５４が敷かれている。そして、栽培槽５２，５２の左右側部には、実施の形態１と同様、開口部５５，５５が形成されており、この開口部５５，５５を通して栽培槽５２，５２の外側に茎及び葉が出るように、植物５８，５８が培地５１，５１に植えられている。
【０１４２】
吊下支持部材５３の溝５３ａ内には、培地５１，５１に対し点滴灌水を行うドリップ灌水管５６が収容されている。ここで、ドリップ灌水管５６の直径は、吊下支持部材５３の溝５３ａの幅よりも大きく構成されている。従って、ドリップ灌水管５６は、特に紐や針金などで支持しなくても、溝５３ａの両端で支持され、溝５３ａ内に保持される。
【０１４３】
また、左右の栽培槽５２，５２の間の空間には、培地５１，５１を加温又は冷却する温度調節管５７が、両栽培槽５２，５２に挟まれた状態で保持されている。温度調節管５７は、左右の栽培槽５２，５２の間に挟んであるだけであり、特に紐や針金などで吊下支持部材５３に固定する必要はない。すなわち、左右の栽培槽５２，５２が、それぞれの自重により互いに押し合った状態で吊り下げられた状態にあるため、特に温度調節管５７を吊下支持部材５３に固定しなくても、温度調節管５７は充分に保持され、落下することはない。
【０１４４】
また、必要に応じて、左右の栽培槽５２，５２の間の空間に水溶性の肥料を保持させることもできる。これにより、肥料が水に溶けて包容材を通して培地５１中に浸透し、施肥を行うことができる。
【０１４５】
次に、本実施形態に係る植物栽培装置を使用した植物栽培方法について説明する。図１０は植物の苗の養成状態を表す図、図１１は苗の運搬状態を表す図、図１２は植物栽培装置に苗を設置した状態を表す図である。
【０１４６】
植物を栽培する場合、まず、栽培槽５２を吊下支持部材５３から取り外し、栽培槽５２内に新しい培地５１を詰めた後、開口部５５を通して培地５１に植物の苗を植える。このように、栽培槽５２を吊下支持部材５３から取り外してから苗を植えることができるため、作業が容易であり、作業効率がよい。また、栽培槽５２は、吊下支持部材５３を掛架されているだけなので、脱着が容易である。
【０１４７】
次に、育苗が必要な場合には、図１０のように、栽培槽５２を、実施の形態３で説明した植物栽培装置と同様に、傾斜した架台３１上に敷設された灌水基盤３５の上に栽培槽５２を広げて載置して育苗を行う。また、場合によっては、温度管理や日照管理のされた育苗圃場で育苗を行うようにしてもよい。
【０１４８】
培地５１は、少量でも充分な保水力及び保肥力を有するため、栽培槽５２の中に詰める培地５１の量は少量である。従って、栽培槽５２自体は、軽量であり、図１１に示したように、栽培槽５２を片手で持ち運ぶこともできる。そして、育苗が終わった段階で、栽培槽５２を広い栽培圃場に運び、図１２に示したように、植えられた植物が外側になるようにして、栽培槽５２を吊下支持部材５３に掛架する。そして、図９に示したように、左右の栽培槽５２，５２の間に、培地５１を加温又は冷却する温度調節管５７を挟み込んで保持する。このように、温度調節管５７は挟み込むだけで設置することができるため、設置作業が簡単であり作業性がよい。
【０１４９】
温度調節管５７には、温度調節された循環水を流すことにより、培地５１の温度を調節する。また、吊下支持部材５３の溝５３ａ内に設けられたドリップ灌水管５６から、灌水を漏出させる。漏出した灌水は、吊下支持部材５３の下部に形成された溝開口部５３ｂから下方に滴下する。この灌水によって、左右の栽培槽５２，５２内の培土５１，５１が均等に灌水される。このように、１つのドリップ灌水管５６によって、左右の栽培槽５２，５２内の培土５１，５１を均等に灌水することができるため、灌水設備の構成が簡単であり、設備費が低廉化される。
【０１５０】
また、栽培槽５２の持ち運びが容易であるため、栽培槽５２を育苗圃場に詰めて置いて苗の養成を行った後に、栽培槽５２ごと植物の苗を運んで、吊下支持部材５３に掛架して植物を栽培することができる。従って、小面積で少ない労働力で植物の栽培を簡単に行うことが可能となる。
【０１５１】
更に、栽培圃場において、栽培槽５２で育成した栽培植物の収穫が終わると、育苗圃場から、新しい苗の植えられた栽培槽５２を運び、収穫の終わった栽培槽５２と取り替えることで、効率的な植物の栽培を行うことが可能となる。従って、小面積の栽培圃場で高効率な植物栽培が可能となる。
【０１５２】
（実施の形態５）
図１３は本発明の実施の形態５に係る植物栽培装置の要部断面図である。
図１３において、培土５１、栽培槽５２，５２、支持体５２ａ，５２ａ、吊下部５２ｂ，５２ｂ、保水材５４，５４、開口部５５，５５、ドリップ灌水管５６は、実施の形態４と同様のものであるため、同符号を付して説明は省略する。
【０１５３】
本実施の形態における植物栽培装置６０は、吊下支持部材５３’として、樋状のＣ字樋を使用している。このＣ字樋は、ステンレスや塩化ビニルにより構成される。そして、吊下支持部材５３’の溝５３ａ’内にドリップ灌水管５６が差し込まれている。吊下支持部材５３’の溝開口部５３ｂ’の幅は、ドリップ灌水管５６の幅よりも狭いため、ドリップ灌水管５６は、吊下支持部材５３’の溝５３ａ’内に保持される。また、吊下支持部材５３’の溝開口部５３ｂ’と通して、ドリップ灌水管５６から培地５１に直接点滴灌水される構成とされている。
【０１５４】
栽培槽５２，５２の底部には、栽培槽５２，５２を下面から持ち上げた状態で支持する支持体６１が設けられている。そして、支持体６１は、吊下紐６１ｂによって吊下支持部材５３’に吊り下げられている。支持体６１は、プラスチック製のネットによって構成されており、栽培槽５２の通気性、透水性、及び透根性を妨げないように構成されている。
【０１５５】
このように、支持体６１によって栽培槽５２，５２を下面から持ち上げた状態で支持することで、栽培槽５２，５２内の培地の表面はほぼ水平状体に保たれる。
【０１５６】
すなわち、もし、支持体６１がない場合には、図１４に示したように、保水材５４，５４の強度が弱い場合、灌水の重みによって、栽培槽５２，５２は次第に長細く変形していく。これにより、培土５１，５１の表面が傾斜したり、植えられている植物５９，５９が傾斜したりする。一方、植物５９は、鉛直上方に向かって成長する性質がある。そのため、植物５９の根元付近の茎や葉が曲がる。例えば、図１４のように、栽培槽にネギを植えた場合、根元の曲がったネギが生産される。このように、葉茎菜類などにおいて根元の曲がったものは、商品価値が低くなるため好ましくない。
【０１５７】
一方、本実施形態の植物栽培装置６０では、支持体６１によって栽培槽５２，５２を下面から持ち上げて支持するため、栽培槽５２，５２が縦長に変形することが防止される。従って、図１３に示したように、植えられている植物５９が傾くことが防止されるため、根元の部分が曲がっていない植物を生産することが可能となる。従って、葉茎菜類などを生産する場合でも、根元の曲がりにより商品価値が低くなることが防止される。
【０１５８】
（実施の形態６）
図１５は本発明の実施の形態６に係る植物栽培装置の要部断面図、図１６は図１５の集水シートの斜視図である。
【０１５９】
図１５において、培地５１、栽培槽５２，５２、支持体５２ａ，５２ａ、吊下部５２ｂ，５２ｂ、保水材５４，５４、開口部５５，５５、ドリップ灌水管５６、及び植物５８は、図９と同様のものであるため、同符号を付して説明は省略する。
【０１６０】
本実施の形態の植物栽培装置７０においては、吊下支持部材５３”として、円形の管の一部に切り欠き溝５３ｂ”が形成されたＣ字状の樋部材を使用している。切り欠き溝５３ｂ”の幅は、ドリップ灌水管５６の幅よりも狭く形成されている。これにより、ドリップ灌水管５６は、吊下支持部材５３”の溝５３ａ”内に保持されている。また、実施の形態５と同様、ドリップ灌水管５６から、直接培地５１に点滴灌水が行われる。
【０１６１】
また、本実施形態の植物栽培装置７０においては、栽培槽５２，５２の外側を覆って設けられた集水シート７１を備えていることを特徴とする。集水シート７１は、栽培槽５２，５２の下面を被覆して設けられており、集水シート７１の下部には、集水シート７１により集水される水を貯水する貯水部７１ａが形成されている。
【０１６２】
集水シート７１は、図１６に示したように、１枚のポリエステルのシートを２つに折り、折り目よりも少し端部に近い部分７１ｃを、ところどころ間隔をおいてヒートシールして貯水部７１ａを形成している。そして、貯水部７１ａの下部には、所々、排水口７１ｄが開けられている。
【０１６３】
栽培槽５２の外側を覆うようにして、集水シート７１の両端を吊下支持部材５３”の上方に回し、集水シート７１の両端を幅広プレート状のクリップ７２により挟持することにより、集水シート７１は吊下支持部材５３”に保持されている。
【０１６４】
培地５１には、ドリップ灌水管５６により点滴灌水がされるが、灌水が培地の圃場容水量を超えた場合、栽培槽５２ａ，５２ｂの底部から集水シート７１に水が滴下し、集水シート７１の貯水部７１ａに集水される。集水された水は、排水口７１ｄから排水される。従って、栽培槽５２，５２の各箇所から水が滴り落ちることを防止し、特定の箇所に水が集められて排水される。
【０１６５】
尚、集水シート７１の下部に貯水部７１ａを設けたのは、このように縦長の集水部７１ａを設けることで、少量の水が集水された場合でも水位を高くするためである。水位が高いと、水が流れやすいので、排水口７１ｄまで水が流れて排水されやすくなる。
【０１６６】
【実施例】
以下、本発明の植物栽培装置について、保水性試験及び植物の生育試験を行ったので、その結果について説明する。
【０１６７】
（実施例１）
実施例１では、上記実施形態４において説明した植物栽培装置について、保水性試験を行った結果を示す。
【０１６８】
試験は、表１に示したような所定の方法で調整した４種類の栽培槽を、６０分間水プールに浸漬し、その後、各栽培槽をフックを用いて空中に吊り下げて、各経過時間に対する重量の変化を測定することにより行った。
【０１６９】
試験に使用した栽培槽は、以下の表１のように調整されたものを使用した。
【表１】
2004041182.tif 000003
【０１７０】
各栽培槽には、培地約１リットルを充填した。表１の培地量は、各栽培槽に充填された培地の重さを表したものである。また、表１の全体重量とは、培養土の重量に、高吸水性ポリマー、保水材、フック、又はグラスファイバの重量を加えたものである。
【０１７１】
供試材料としては、以下のような材料を使用した。
（１）培養土　　　　　　イチゴ専用培養土（ピートモス、パーライト含有）
（２）高吸水性ポリマー　メビオール社製　スカイジェル（商品名）
（３）保水材　　　　　　ポリエステル不織布　幅１０ｃｍ×長さ６０ｃｍ×厚さ５ｍｍ
（４）包容材　　　　　　袋状ポリエステル織布　折り幅１０ｃｍ×長さ６０ｃｍ
内容量　約１．５リットル
【０１７２】
培地に高吸水性ポリマーを混合する場合には、培養土１リットルに対して１０ｇｆの高吸水性ポリマーを混合した。
【０１７３】
以上の条件により測定を行った結果、表２のような結果が得られた。
【表２】
2004041182.tif 000004
【０１７４】
図１７は各栽培槽の給水前の全体重量に対する給水後の重量の比の時間変化を表す図、図１８は給水後３０分経過後の栽培槽の状態を示す図である。図１７より、「マット・ジェルなし」及び「マットのみ」に比べて、「ジェルのみ」及び「マット＋ジェル」は約２倍程度多くの保水力を有することが分かる。
【０１７５】
また、「ジェルのみ」及び「マット＋ジェル」の保水量はほぼ等しいが、「ジェルのみ」のほうが「マット＋ジェル」に比べて重量減少の傾きが大きい。すなわち、灌水により保水された水が流出しやすいことが分かる。
【０１７６】
また、図１８において、図中の付番１，２，３，４は、それぞれ、表１の番号１，２，３，４に対応している。図１８より、高吸水性ポリマーを含む３番と４番の培地は、保水することにより膨張する。このとき、包容材は袋状のシートで構成されているので、培地の膨張に対して柔軟に変形し、培地が溢れ出すことがないことが分かる。
【０１７７】
（実施例２）
実施例２では、上記実施形態４において説明した植物栽培装置により、リーフレタスの栽培試験を行った結果を示す。
【０１７８】
図１９は栽培槽内に保水材を敷いて培地に高吸水性ポリマーを混合しないで栽培した場合（ａ）及び保水材も高吸水性ポリマーも使用しなかった場合（ｂ）について栽培試験により得られたリーフレタスを表す図である。また、図２０は保水材も高吸水性ポリマーも使用しなかった場合に栽培試験により得られたリーフレタスを表す図、図２１は栽培槽内に保水材を敷いて培地に高吸水性ポリマーを混合して栽培した場合について栽培試験により得られたリーフレタスを表す図である。
【０１７９】
栽培試験は、水平に渡した棒に栽培槽をフックで吊して、ドリップ灌水管により点滴灌水を行って栽培することにより実施した。
【０１８０】
図１９から分かるように、栽培槽内に保水材を敷いて培地に高吸水性ポリマーを混合しないで栽培した場合（ａ）及び保水材も高吸水性ポリマーも使用しなかった場合（ｂ）には、生産されたリーフレタスは全体的に小さめのものとなる。リーフレタス１株あたりの重量は、保水材も高吸水性ポリマーも使用しなかった場合（ｂ）では１１０〜１３０ｇ、栽培槽内に保水材を敷いて培地に高吸水性ポリマーを混合しないで栽培した場合（ａ）では、１２０〜１５０ｇであった。また、（ｂ）の場合には、図２０に示したように、リーフレタスの株間の生育にムラが生じる現象が見られた。これは、株間では多少なりとも生育に差があるが、保水材も高吸水性ポリマーも使用しなかった場合、培地内の養水分の量のムラが大きく、培地が部分的に乾燥しやすい。特に、点滴灌水の場合には、特定の点から灌水が行われるために、培地の部分的乾燥が生じやすいと考えられる。このように、培地が部分的に乾燥すると、リーフレタスの株間の生育差が助長され、その結果、リーフレタスの株間の生育にムラが生じるものと考えられる。
【０１８１】
一方、栽培槽内に保水材を敷いて培地に高吸水性ポリマーを混合して栽培した場合では、図２１に示したように、かなりの大型なリーフレタス株に成長した。本試験で得られたリーフレタス１株あたりの重量は、２２０〜２５０ｇであり、上記（ａ）、（ｂ）の場合に比べて約２倍の重量に成長した。
【０１８２】
これは、栽培槽の保水性及び保肥力が高く、リーフレタスの根圏の水分環境及び肥料環境が安定しているためであると考えられる。すなわち、リーフレタスに加わる水分ストレス、肥料ストレスが小さく、リーフレタス株の生育が促進されるからであると考えられる。
【０１８３】
（実施例３）
図２２は実施形態４の植物栽培装置により高設栽培を行っている状況を表す図である。
【０１８４】
図２２に示すように、植物の高設栽培を行う場合、栽培槽の重量が軽量であるため、吊下支持部材として物干し竿を使用することが可能である。
【０１８５】
（実施例４）
図２３及び図２４は本発明の植物栽培槽をテーブル野菜に使用した例を表す図である。
【０１８６】
図２３のように、テーブル上に敷き板を置き、この敷き板状にプラスチック鎖等で囲いを作る。そして、この囲いの上にビニルシートを敷いて、その上に、実施形態１〜４で説明したような、植物を植栽した栽培槽を載せる。このように、テーブル上に新鮮な野菜を載せて、食事中に野菜を摘んでそのまま食すことができる。また、同様に花卉類を置いて、テーブル上で観賞することもできる。
【０１８７】
このように、栽培槽自体が小型・軽量であり、また、高設栽培により清潔な環境で植物の栽培ができるため、テーブル野菜やテーブル上において観賞する花卉の栽培槽としても使用することができる。
【０１８８】
【発明の効果】
以上のように、本発明の植物栽培装置の第１の構成によれば、一般の土壤と同程度の保水力、保肥力を得るために必要な培地の量は極めて少なくてすむため、栽培槽を小型化・軽量化することが可能となる。従って、少ない栽培面積で植物の多収穫が可能となるため、場所を選ばず、空き地や狭い土地にも栽培槽を容易に設置することが可能となる。従って、農業生産者に活用されていない土地や空間、例えば、既存のビニルハウスの枠に栽培槽を懸吊して設置することも可能となり、農業生産者の所得向上にもつながる。また、一般の圃場に設置する場合でも、単位圃場面積あたりの植物の栽培株数を増やすことができ、生産効率が改善される。
【０１８９】
また、設備が簡単であり、低廉な価格で植物栽培装置の設備を導入することが可能である。従って、小規模経営の農家や家庭菜園を行う一般家庭においても容易に導入することが可能となる。
【０１９０】
また、灌水の利用効率がよく、灌水回数を大幅に軽減することができるため、灌水の管理も容易となる。また、植物に対して加わる水分ストレスや肥料濃度ストレスを緩和することができるため、植物の生育が促進され、多収穫・高品質の植物栽培が可能となる。
【０１９１】
また、小型・軽量とできるために、搬送が容易であり、植物の成長に合わせて、栽培槽を育苗圃場や本圃等の適所に運んで植物の栽培を行うことが容易となる。
【０１９２】
また、栽培槽が小型であるため、栽培槽を移動させて配置密度を変えることで、植物の栽培密度を自由に変えることができるので、育苗から本圃栽培まで一貫して栽培槽内で行うことができる。従って、苗の移植作業が不要であり、農作業の労力を大幅に軽減することができる。
【０１９３】
また、肥料を最初から培養土に含ませておけば、養液による施肥の必要がなく、灌水のみで植物の栽培ができる。そのため、養液供給装置などの設備は不要で栽培設備が簡単であり、また肥料成分の沈殿・付着等による灌水配管の閉塞もなく、極めて低廉な設備費及び維持管理費で植物栽培を行うことができる。
【０１９４】
また、本発明の植物栽培装置の第２の構成によれば、栽培槽の形状が縦長であるために搬送が容易であり、栽培槽の運搬時の作業性が向上する。また、栽培槽を空中に吊した状態で植物を栽培することが容易となる。更に、栽培槽を斜面栽培や壁面栽培に使用することも可能である。
【０１９５】
また、本発明の植物栽培装置の第３の構成によれば、包容材に透根性を持たせることで、根巻きを防止し、二次根や毛根の発達が促進されるため、植物の養水分吸収が活性化され、品質の良い植物を生産することができる。
【０１９６】
また、本発明の植物栽培装置の第４の構成によれば、二以上の栽培槽を、隣接し合うもの同士が互いに接触しあった状態で吊り下げることで、植物の成長に伴って栽培槽が重量的にアンバランスとなっても、栽培槽が傾斜することが防止される。また、包容材が透根性を有している場合には、接触し合った栽培槽の間で、植物の根が隣の栽培槽内まで伸長し、植物の養水分吸収が改善されるとともに、更に水分ストレスを受けにくくなる。従って、より品質の良い植物の生産が可能となる。
【０１９７】
また、本発明の植物栽培装置の第５の構成によれば、ドリップ灌水によって常に植物の生育に最適な条件を確保することができる。また、栽培槽を吊下支持部材に脱着する際に、ドリップ灌水管を損傷したり、ドリップ灌水管が邪魔になることがなく、脱着作業が容易となる。また、１つのドリップ灌水管により、吊下支持部材に吊り下げられた各栽培槽に灌水できるので、灌水設備が簡単であり、灌水管理も容易となる。
【０１９８】
また、本発明の植物栽培装置の第６の構成によれば、栽培槽の設置作業中等に、誤ってドリップ灌水管を損傷することを防止することができる。また、吊下支持部材に対して栽培槽の脱着を容易に行うことが可能となり、作業性が向上する。
【０１９９】
また、本発明の植物栽培装置の第７の構成によれば、植物に対しする温度ストレスを緩和させることが可能となるため、植物の生育が促進され、植物の多収穫化を図ることができる。また、温度調節材の設置が容易であり、設置作業の作業性が向上する。
【０２００】
また、本発明の植物栽培装置の第８の構成によれば、支持体によって各栽培槽を下面から持ち上げた状態で支持することにより、栽培槽内の培地の表面を平坦に維持することができる。従って、栽培される植物がいびつな形状となることが防止され、栽培植物の商品価値が低下することを防止することができる。
【０２０１】
また、本発明の植物栽培装置の第９の構成によれば、圃場容水量を超える過剰な水は、一旦集水シートの下部の貯留部に貯留される。貯留部は縦長であるため、少量の水が流入した場合でも、貯留部内の水位が高くなる。従って、集水シートに弛みがある場合にも、過剰な灌水を効率よく集水し、排水することが可能となる。
【０２０２】
また、本発明の植物栽培装置の第１０の構成によれば、斜面又は垂直面上で植物の栽培ができるため、狭い面積や傾斜地においても植物の栽培ができるようになる。また、斜面上部一端から灌水を行えば、総ての栽培槽に灌水することができるので、灌水設備が簡単となり、設備費が低廉となる。また、斜面や垂直面上で植物を栽培することができるため、壁面緑化にも利用することができる。
【０２０３】
また、本発明の植物栽培方法の第１の構成によれば、培地の保水力が高く、保肥力も有するために、少量の培地で、植物の生育に適当な保水量及び保肥量を確保できる。更に、植物の根に対して水分ストレスを極めて小さくすることができる。従って、植物の生育がより促進され、植物の収穫量が増大し、品質が向上する。また、灌水回数を大幅に削減することができるため、栽培管理が極めて楽になる。
【０２０４】
また、本発明の植物栽培方法の第２の構成によれば、無駄な排水を少なくすることができるため、肥料の流亡を防止することができる。従って、施肥を少なくすることができる。
【０２０５】
また、本発明の植物栽培方法の第３の構成によれば、土壌病害虫の被害を防止することができる。特に、イチゴ栽培のように土壤病害虫の影響が大きな植物の栽培管理が容易化される。また、雑草の種子や根が侵入しにくいため、雑草が繁殖する心配もなくなる。従って、土壌妨害虫の駆除や雑草の防除のための農薬を使用する必要がなくなる。そして、農作業の省力化が図られる。
【０２０６】
また、本発明の植物栽培方法の第４の構成によれば、包容材から突き出した植物の根端は成長が止まり、二次根形成、毛根形成が促進されるため、植物の養水分の吸収が良好となり、植物の生育が良好となる。
【０２０７】
また、本発明の植物栽培方法の第５の構成によれば、吊り下げられた各栽培槽が安定し、上述のように、植物が成長した場合でも、植物の茎や葉等の地上部分の重量で各栽培槽が傾斜することが防止される。
【０２０８】
また、本発明の植物栽培方法の第６の構成によれば、培地の表面をほぼ水平な状態に保つことができ、植物の茎の根元部分が曲がって成長することを防止できる。そのため、栽培される植物の商品価値の低下を防止することができる。
【０２０９】
また、本発明の植物栽培方法の第７の構成によれば、灌水基盤の透水層に対して灌水を行うことで、各栽培槽に対して均等に灌水を行うことができる。従って、灌水管理が容易となる。
【図面の簡単な説明】
【図１】本発明の実施の形態１に係る植物栽培装置の断面図である。
【図２】本発明の実施の形態１に係る植物栽培装置の側面図である。
【図３】実施の形態１の植物栽培装置をビニルハウスの梁に懸吊して設置した例を示す図である。
【図４】包容材の付近における植物の根の成長過程を表す図である。
【図５】本発明の実施の形態２に係る植物栽培装置の断面図である。
【図６】実施の形態２の植物栽培装置を地面に設置した例を示す図である。
【図７】本発明の実施の形態３に係る植物栽培装置の斜視図である。
【図８】本発明の実施の形態３に係る植物栽培装置の栽培槽付近の断面図である。
【図９】本発明の実施の形態４に係る植物栽培装置の要部断面図である。
【図１０】植物の苗の養成状態を表す図である。
【図１１】苗の運搬状態を表す図である。
【図１２】植物栽培装置に苗を設置した状態を表す図である。
【図１３】本発明の実施の形態５に係る植物栽培装置の要部断面図である。
【図１４】支持体６１がない場合の植物栽培装置の状態を表す図である。
【図１５】本発明の実施の形態６に係る植物栽培装置の要部断面図である。
【図１６】図１５の集水シートの斜視図である。
【図１７】各栽培槽の給水前の全体重量に対する給水後の重量の比の時間変化を表す図である。
【図１８】給水後３０分経過後の栽培槽の状態を示す図である。
【図１９】栽培槽内に保水材を敷いて培地に高吸水性ポリマーを混合しないで栽培した場合（ａ）及び保水材も高吸水性ポリマーも使用しなかった場合（ｂ）について栽培試験により得られたリーフレタスを表す図である。
【図２０】は保水材も高吸水性ポリマーも使用しなかった場合に栽培試験により得られたリーフレタスを表す図である。
【図２１】栽培槽内に保水材を敷いて培地に高吸水性ポリマーを混合して栽培した場合について栽培試験により得られたリーフレタスを表す図である。
【図２２】実施形態４の植物栽培装置により高設栽培を行っている状況を表す図である。
【図２３】本発明の植物栽培槽をテーブル野菜に使用した例を表す図である。
【図２４】本発明の植物栽培槽をテーブル野菜に使用した例を表す図である。
【図２５】バック式栽培方法による植物の栽培状況を示した図である。
【符号の説明】
１，１’　栽培槽
２　培地
３　包容材
４　保水材
５　開口部
６　植物
６ａ　根系
７　支持体
８　吊下部
９　吊下棒
１０　ドリップ灌水管
１１　親根
１２　根端
１３，１３’　毛根
１４　二次根
２０　地面
２１　ドリッパ
２１ａ　スタビライザ
２１ｂ　給水チューブ
２２　給水パイプ
２３　温度調節管
３０　植物栽培装置
３１　架台
３２　遮水シート
３３　透水シート
３４　透水遮根シート
３５　灌水基盤
３６　栽培槽
３７　培地
３８　包容材
３９　保水材
４０　開口部
４１　植物
４２　灌水管
５０　植物栽培装置
５１　培地
５２，５２　栽培槽
５２ａ　支持体
５２ｂ　吊下部
５３，５３’，５３”　吊下支持部材
５３ａ，５３ａ’，５３ａ”　溝
５３ｂ，５３ｂ’　溝開口部
５３ｂ”　切り欠き溝
５４　保水材
５５　開口部
５６　ドリップ灌水管
５７　温度調節管
５８，５９　植物
６０　植物栽培装置
６１　支持体
６１ｂ　吊下紐
７０　植物栽培装置
７１　集水シート
７１ａ　貯水部
【図１】
2004041182.tif 000005
【図２】
2004041182.tif 000006
【図３】
2004041182.tif 000007
【図４】
2004041182.tif 000008
【図５】
2004041182.tif 000009
【図６】
2004041182.tif 000010
【図７】
2004041182.tif 000011
【図８】
2004041182.tif 000012
【図９】
2004041182.tif 000013
【図１０】
2004041182.tif 000014
【図１１】
2004041182.tif 000015
【図１２】
2004041182.tif 000016
【図１３】
2004041182.tif 000017
【図１４】
2004041182.tif 000018
【図１５】
2004041182.tif 000019
【図１６】
2004041182.tif 000020
【図１７】
2004041182.tif 000021
【図１８】
2004041182.tif 000022
【図１９】
2004041182.tif 000023
【図２０】
2004041182.tif 000024
【図２１】
2004041182.tif 000025
【図２２】
2004041182.tif 000026
【図２３】
2004041182.tif 000027
【図２４】
2004041182.tif 000028
【図２５】
2004041182.tif 000029